(57)【要約】【課題】重量選別機２で物品の重量を計量して選別し、選別された物品が、重量選別機２から包装機７へ順次供給され、包装機７で複数個の物品を包装し、包装品の重量を検査する計量包装検査システム１において、重量検査装置８で正確な検査を行えるようにする。【解決手段】重量検査装置８は、計量した包装品の重量が、許容重量範囲内であるか否かを検査するものであって、重量選別機２によって計量されて選別された良品の物品の重量データを取得し、取得した重量データに基づいて、前記許容重量範囲を規定するようにしている。【選択図】図１
2017132514.tif 000002
【特許請求の範囲】
【請求項１】
物品の重量を計量して良品と不良品とに選別する重量選別機と、前記重量選別機で選別された良品の物品が順次供給されると共に、供給される良品の物品の複数個を包装する包装機と、前記包装機で包装された包装品の重量を計量して検査する重量検査装置とを備える計量包装検査システムであって、
前記重量検査装置は、計量した前記包装品の重量が、許容重量範囲内であるか否かを検査するものであり、
前記重量検査装置は、前記重量選別機によって計量されて選別された前記良品の物品の重量データを取得し、取得した前記重量データに基づいて、前記許容重量範囲を規定する、
ことを特徴とする計量包装検査システム。
【請求項２】
前記重量データは、前記重量選別機によって計量されて選別された前記良品の物品の重量値を、前記包装機で包装される物品の個数分積算した積算重量値である、
請求項１に記載の計量包装検査システム。
【請求項３】
前記重量選別機と前記包装機との間には、前記重量選別機から順次供給される前記良品の物品を、貯留することなく前記包装機へ順次供給する搬送手段が設けられる、
請求項１または２に記載の計量包装検査システム。
【請求項４】
前記物品が一次包装品であり、前記包装機は、複数個の前記一次包装品を二次包装品に包装する、
請求項１ないし３のいずれかに記載の計量包装検査システム。
【請求項５】
前記一次包装品が小袋であり、前記二次包装品が大袋である、
請求項４に記載の計量包装検査システム。
【発明の詳細な説明】
【技術分野】
【０００１】
本発明は、重量選別機で計量選別した小袋等の物品を包装機へ供給し、該包装機で複数個の物品を大袋等の包装品に包装し、包装品の重量を検査する計量包装検査システムに関する。
【背景技術】
【０００２】
特許文献１には、物品の重量を計量して所定重量範囲の物品を選別し、選別した物品を箱詰め包装する箱詰め装置が記載されている。
【０００３】
この箱詰め装置は、複数の物品を複数列に整列させて複数の計量部にそれぞれ供給し、複数の計量部で物品をそれぞれ計量して物品の重量が所定重量範囲内であるか否かをそれぞれ判定し、複数の計量部にそれぞれ対応する複数の振分け部で所定重量範囲外の物品をそれぞれ排除し、複数の振分け部にそれぞれ対応する複数のカットゲート部で所定重量範囲内の物品を通過させ、通過した物品を集合させて包装箱へ投入して箱詰めするようにしている。
【０００４】
特許文献２には、組合せ秤によって組合せ計量された複数個の物品を、組合せ秤の下方に配置された包装機へ投入して包装機で袋詰めし、袋詰めした包装袋の重量を重量選別機で検査する計量包装検査システムが開示されている。
【先行技術文献】
【特許文献】
【０００５】
【特許文献１】特開２００８−３０２９３８号公報
【特許文献２】特開２０１２−９８１６２号公報
【発明の概要】
【発明が解決しようとする課題】
【０００６】
上記特許文献１は、箱詰めした包装品の重量の検査については、全く開示されておらず、また、物品を複数列に整列させて供給するものであって、複数の各列にそれぞれ対応させて、計量部、振分け部、カットゲート部を複数設ける必要があり、複数の各列に対応して実質的に複数の重量選別機を設けるものであり、構成が複雑になる。
【０００７】
一方、上記特許文献２は、包装機で袋詰めした包装袋の重量を単一の重量選別機で検査するものであるが、袋詰めされる個々の物品は、組合せ秤で組合せ計量されものであって、個々の物品の重量を重量選別機で計量して物品を選別するものではなく、また、袋詰めされる複数個の物品は、組合せ秤のホッパから包装機へ一括して投入されるものであって、重量選別された物品が、包装機へ順次供給されるものではない。
【０００８】
このように特許文献１及び特許文献２は、重量選別機で物品の重量を計量して選別し、重量選別された物品が、重量選別機から包装機へ順次供給され、包装機で複数個の物品を包装し、包装した包装品の重量を検査する計量包装検査システムではない。
【０００９】
かかる計量包装検査システムとして、重量選別機で、例えば小袋の重量を計量して良品の小袋を選別し、選別した良品の小袋を包装機へ順次供給し、包装機では、供給された良品の小袋の所定個数を大袋に包装し、この大袋の重量を重量検査装置で検査するシステムがある。
【００１０】
この場合、重量検査装置では、大袋の重量を計量し、大袋の重量が、許容重量範囲内にあるときには、大袋に前記所定個数の小袋が収納された良品であると判定し、許容重量範囲未満であるときには、所定個数に満たない小袋が収納された不良品（欠品）と判定し、許容重量範囲を超えるときには、所定個数を上回る小袋が収納された不良品（過量品）と判定する。
【００１１】
すなわち、重量検査装置では、大袋の重量を検査することによって、大袋に所定個数の小袋が過不足なく収納されているか否かを検査している。
【００１２】
前記許容重量範囲は、基準値、上限許容値及び下限許容値に基づいて、（基準値−下限許容値）以上、（基準値＋上限許容値）以下に規定される。
【００１３】
従来、基準値、上限許容値及び下限許容値は、重量検査装置に設定される。基準値については、例えば、実際に計量される大袋の重量値の平均重量値になるように、補正される場合もある。
【００１４】
しかしながら、大袋に包装される小袋の重量のばらつきが大きく、その重量が急に変化するような場合には、大袋に前記所定個数の小袋が収納されている良品であっても、その重量が許容重量範囲外となって欠品あるいは過量品と判定される場合がある。
【００１５】
本発明は、上記のような点に鑑みて為されたものであって、重量選別機で物品の重量を計量して選別し、選別された物品が、重量選別機から包装機へ順次供給され、包装機で複数個の物品を包装し、包装品の重量を検査する計量包装検査システムにおいて、重量検査装置によって包装品に物品が過不足なく収納されているか否かを正確に検査できるようにすることを目的としている。
【課題を解決するための手段】
【００１６】
上記目的を達成するために、本発明では、次のように構成している。
【００１７】
（１）本発明の計量包装検査システムは、物品の重量を計量して良品と不良品とに選別する重量選別機と、前記重量選別機で選別された良品の物品が順次供給されると共に、供給される良品の物品の複数個を包装する包装機と、前記包装機で包装された包装品の重量を計量して検査する重量検査装置とを備える計量包装検査システムであって、前記重量検査装置は、計量した前記包装品の重量が、許容重量範囲内であるか否かを検査するものであり、前記重量検査装置は、前記重量選別機によって計量されて選別された前記良品の物品の重量データを取得し、取得した前記重量データに基づいて、前記許容重量範囲を規定する。
【００１８】
本発明によると、包装機は、重量選別機で選別されて順次供給される良品の物品の複数個を包装して包装品を製造し、重量検査装置は、重量選別機で実際に計量されて良品として選別された物品の重量データを取得し、取得した重量データに基づいて、包装品を検査するための許容重量範囲を規定するので、良品の物品の重量のばらつきが大きかったり、良品の物品の重量が急に変化するような場合には、重量検査装置は、その大きなばらつきの物品の重量や急に変化した物品の重量を、重量データとして取得することができ、その重量データに基づいて、包装品を検査するための許容重量範囲を規定することができる。
【００１９】
これによって、重量検査装置は、良品の物品の重量が大きくばらついたり、その重量が急に変化したときには、それに応じた許容重量範囲を規定することができるので、良品の物品の重量のばらつきや急な変化の影響を受けることなく、包装品に、所定個数の物品が過不足なく収納されているか否かを正確に検査することができる。
【００２０】
（２）本発明の好ましい実施態様では、前記重量データは、前記重量選別機によって計量されて選別された前記良品の物品の重量値を、前記包装機で包装される物品の個数分積算した積算重量値である。
【００２１】
この実施態様によると、重量データは、重量選別機によって選別された良品の物品の重量値を包装機で包装される物品の個数分積算した積算重量値であるので、複数個の良品の物品を包装した包装品の重量に対応したものとなり、重量データに基づいて規定される許容重量範囲が、包装品の重量に対応したものとなる。
【００２２】
（３）本発明の他の実施態様では、前記重量選別機と前記包装機との間には、前記重量選別機から順次供給される前記良品の物品を、貯留することなく前記包装機へ順次供給する搬送手段が設けられる。
【００２３】
この実施態様によると、重量選別機から順次供給される良品の物品は、搬送手段によって、貯留されることなく包装機へ順次供給されるので、例えば、上記特許文献１や上記特許文献２のような物品を一旦貯留するホッパ等の貯留槽を必要とせず、したがって、ホッパ等の貯留槽の底部のゲートの開閉によって、物品がゲートに噛み込まれて包装機へ物品が供給されないといった不具合もない。
【００２４】
（４）本発明の他の実施態様では、前記物品が一次包装品であり、前記包装機は、複数個の前記一次包装品を二次包装品に包装するものである。
【００２５】
この実施態様によると、物品を袋詰めや箱詰めして一次包装品とし、この一次包装品の複数個を袋詰めや箱詰めして二次包装品を製造するのに好適である。とする
（５）本発明の好ましい実施態様では、前記一次包装品が小袋であり、前記二次包装品が大袋である。
【００２６】
この実施態様によると、大袋に所定個数の小袋が過不足なく収納されているか否かを正確に検査することができる。
【発明の効果】
【００２７】
本発明によると、重量検査装置は、重量選別機で実際に計量されて良品として選別された物品の重量データを取得し、取得した重量データに基づいて、包装品を検査するための許容重量範囲を規定するので、良品の物品の重量が大きくばらついたり、その重量が急に変化したようなときにも、それに応じた許容重量範囲を規定することができるので、良品の物品の重量のばらつきや急な変化の影響を受けることなく、包装品に、所定個数の物品が過不足なく収納されているか否かを正確に検査することができる。
【図面の簡単な説明】
【００２８】
【図１】本発明の一実施形態に係る計量包装検査システムの概略構成を示す平面図である。
【図２】図１の計量包装検査システムの要部のブロック図である。
【図３】図２の制御装置の動作説明のためのフローチャートである。
【図４】図３の詳細を示すフローチャートである。
【図５】図３の詳細を示すフローチャートである。
【図６】図３の詳細を示すフローチャートである。
【発明を実施するための形態】
【００２９】
以下、添付した図面を参照して、本発明の実施形態を詳細に説明する。
【００３０】
図１は、本発明の一実施形態に係る計量包装検査システムの概略構成を示す平面図である。
【００３１】
この実施形態の計量包装検査システム１は、矢符Ａ方向へ搬送される物品、例えば、小袋（図示せず）の重量を計量して良品と不良品とに選別する重量選別機２と、この重量選別機２で良品として選別された小袋の搬送路を切換えるように振分ける搬送路切換用振分装置５と、この搬送路切換用振分装置５によって振分けられた小袋を矢符Ｂ方向へ搬送して包装機７へ供給する搬送装置６と、搬送装置６から供給される小袋を、所定個数毎に袋詰めして包装品である大袋（図示せず）として搬出する前記包装機７と、この包装機７から矢符Ｃ方向へ搬出される大袋の重量を検査する重量検査装置８と、検査結果に応じて大袋を振分ける包装品振分装置１５とを備えている。
【００３２】
重量選別機２は、送込みコンベヤ２１と、ロードセル等からなる重量センサ（図示せず）により支持された計量コンベヤ２２と、計量結果に応じて小袋を良品と不良品とに振分ける物品振分装置２３と、計量コンベヤ２２に送り込まれる小袋を検出する物品検出器２４と、重量選別機２の運転開始・停止や各種の運転パラメータの設定表示などを行う操作設定表示器２５とを備えている。物品振分装置２３は、振分コンベヤ２６と、不良品である過量品及び軽量品を搬送経路外へ排出するための一対の振分アーム２７ａ，２７ｂとを備えている。物品検出器２４は、例えば、投光器及び受光器を有する光電センサ等からなり、計量コンベヤ２２へ送り込まれる小袋を検出する。
【００３３】
この重量選別機２は、送込みコンベヤ２１によって、選別対象である小袋を１個ずつ計量コンベヤ２２へ順次送り込み、計量コンベヤ２２では、物品検出器２４による小袋検出のタイミングに基づいて、送り込まれた小袋を搬送しながらその重量を計量し、計量結果に応じて物品振分装置２３によって、小袋を振分ける。物品振分装置２３では、計量コンベヤ２２によって計量された小袋の重量が、適量重量範囲内の良品であるときには、振分アーム２７ａ，２７ｂを作動させることなく、搬送方向の下流側の搬送路切換用振分装置５へ搬送し、前記適量重量範囲を上回る不良品（過量品）、または、前記適量重量範囲を下回る不良品（軽量品）であるときには、振分アーム２７ａまたは振分アーム２７ｂを、矢符で示すようにそれぞれ回動させることによって、振分コンベヤ２６上の小袋を、搬送経路外へ排出する。
【００３４】
搬送装置６は、搬送路切換用振分装置５によって振分けられる良品の小袋を、包装機７へそれぞれ搬送するベルトコンベヤからなる第１，第２搬送コンベヤ３，４を備えており、各搬送コンベヤ３，４は、後述のように、搬送速度が第１搬送速度と、それより高速の第２搬送速度とに切換え制御される。
【００３５】
搬送路切換用振分装置５は、小袋の搬出方向（図１の右方向）に向かって先下がり傾斜した振分シュートを、第１傾斜状態と、第１傾斜状態よりも先下がり傾斜した第２傾斜状態とに切換えるスイング式の振分装置である。この搬送路切換用振分装置５は、物品振分装置２３から供給される良品の小袋を、図１に示す第１傾斜状態で第２搬送コンベヤ４に１個ずつ供給し、第２傾斜状態で第１搬送コンベヤ３に１個ずつ供給する。この搬送路切換用振分装置５は、後述のように、重量選別機２から供給される良品の小袋を所定個数毎に、第１搬送コンベヤ３または第２搬送コンベヤ４に交互に振分ける。
【００３６】
この実施形態では、搬送路切換用振分装置５及び搬送装置６によって、重量選別機２から順次供給される良品の小袋を、貯留することなく包装機７へ順次供給する搬送手段が構成される。
【００３７】
各搬送コンベヤ３，４の各搬送終端は、小袋を包装機７へ投入するための集合シュート７１の上方に位置している。各搬送コンベヤ３，４によって搬送された小袋は、集合シュート７１を介して包装機７に落下投入され、包装機７によって所定個数毎に大袋に袋詰め包装されて搬出される。
【００３８】
この包装機７では、所定個数の小袋が投入される度に、それらを大袋に袋詰めするために、すなわち、所定個数の小袋を包材に収納した状態にシールするために、一定のシール時間が必要である。
【００３９】
包装機７から搬出された大袋の重量を検査する重量検査装置８は、ロードセル等からなる重量センサ（図示せず）により支持された計量コンベヤ１６と、計量コンベヤ１６に順次送り込まれる大袋を検出する包装品検出器１７と、重量検査装置８の運転開始・停止や各種の運転パラメータの設定表示などを行う操作設定表示器１８とを備えている。
【００４０】
検査結果に応じて大袋を振分ける包装品振分装置１５は、振分コンベヤ１９と、不良品を搬送経路外へ排出するためのプッシャー２０とを備えるプッシャー式の振分装置である。包装品検出器１７は、例えば、投光器及び受光器を有する光電センサ等からなり、計量コンベヤ１６へ送り込まれる大袋を検出する。
【００４１】
重量検査装置８は、搬送コンベヤ９よって１個ずつ大袋を計量コンベヤ１６へ順次送り込み、計量コンベヤ１６では、包装品検出器１７による大袋検出のタイミングに基づいて、大袋を搬送しながらその重量を計量し、許容重量範囲内の良品であるか否かを検査する。包装品振分装置１５は、良品であるときには、プッシャー２０を作動させることなく、包装品振分装置１５の下流側へ良品として搬送し、許容重量範囲外の不良品であるときには、プッシャー２０を振分コンベヤ１９上に進出させて大袋を搬送経路外に押出して排出する。
【００４２】
この実施形態では、重量検査装置８は、計量した大袋の重量が、許容重量範囲内にあるときには、大袋に前記所定個数の小袋が収納された良品であると判定し、許容重量範囲未満であるときには、所定個数に満たない小袋が収納された不良品（欠品）と判定し、許容重量範囲を超えるときには、所定個数を上回る小袋が収納された不良品（過量品）と判定し、包装品振分装置１５を制御して、不良品である欠品及び過量品を搬送経路外へ排出する。
【００４３】
図２は、図１の計量包装検査システムの要部のブロック図であり、図１に対応する部分には、同一の参照符号を付す。
【００４４】
重量選別機２は、重量選別機制御部２８を備えており、この重量選別機制御部２８は、送込みコンベヤ２１、計量コンベヤ２２、振分コンベヤ２６及び振分アーム２７ａ，２７ｂ等の各部を制御する。重量選別機制御部２８は、上記のように物品検出器２４による小袋検出のタイミングに基づいて、計量コンベヤ２２によって小袋の重量を計量して良否を判定し、不良品であるときには、振分アーム２７ａ，２７ｂを制御して搬送経路外へ排出する。
【００４５】
重量検査装置８は、重量検査装置制御部８７を備えており、この重量検査装置制御部８７は、計量コンベヤ１６、振分コンベヤ１９及びプッシャー２０等の各部を制御する。この重量検査装置制御部８７は、上記のように包装品検出器１７による大袋検出のタイミングに基づいて、計量コンベヤ１６によって大袋の重量を計量して良否を判定し、不良品であるときには、プッシャー２０を制御して搬送経路外へ排出する。
【００４６】
この実施形態では、計量包装検査システム１の全体を制御する制御装置１０を備えている。この制御装置１０は、搬送路切換用振分装置５及び搬送装置６等を制御するための各種設定や表示を行う操作設定表示部３１と、搬送装置６の第１，第２搬送コンベヤ３，４及び搬送コンベヤ９を駆動する第１〜第３モータ駆動部１１〜１３と、これらモータ駆動部１１〜１３及び搬送路切換用振分装置５を制御すると共に、重量選別機制御部２８、重量検査装置制御部８７及び包装機７と通信可能な制御部１４とを備えている。すなわち、制御装置１０の制御部１４は、重量選別機２の重量選別機制御部２８、重量検査装置８の重量検査装置制御部８７、および、包装機７の制御部と、例えば、ＬＡＮによって通信可能に接続されている。
【００４７】
制御装置１０には、重量選別機２によって、小袋が計量されて良品と判定される度に、重量選別機制御部２８から良品の小袋の重量値が重量信号として送信され、これによって、制御装置１０は、重量選別機２によって選別された良品の小袋の個数及び各小袋の重量値を取得する。
【００４８】
制御装置１０は、後述のように、良品の小袋の重量値を、包装機７で大袋として包装する小袋の個数である前記所定個数になるまで積算して、大袋に対応する小袋の積算重量値を算出する。制御装置１０は、重量検査装置８へ送り込まれる大袋を検出する包装品検出器１７の検出出力に基づいて、前記積算重量値を、対応する大袋が重量検査装置８へ送り込まれるタイミングに対応させて、重量検査装置８の重量検査装置制御部８７へ良否を判定するための上記許容重量範囲を規定するための基準値として送信する。
【００４９】
すなわち、制御装置１０は、包装機７で大袋として包装する包装単位毎に、良品の小袋の所定個数分の積算重量値を、重量検査装置８へ送り込まれる積算重量値に対応する大袋のタイミングに合わせて、許容重量範囲を規定するための基準値として送信する。
【００５０】
また、制御装置１０は、重量選別機制御部２８から送信される良品の小袋の個数が、包装機７で大袋として包装する包装単位である所定個数になる度に、その所定個数の小袋の包装機７への供給が完了するタイミングで、包装機７に対して供給完了信号を送信する。
【００５１】
この実施形態の重量検査装置８では、大袋の重量を計量し、大袋の重量が、許容重量範囲内にあるときには、大袋に所定個数の小袋が収納された良品であると判定し、許容重量範囲未満であるときには、所定個数に満たない小袋が収納された不良品（欠品）と判定し、許容重量範囲を超えるときには、所定個数を上回る小袋が収納された不良品（過量品）と判定する。
【００５２】
すなわち、重量検査装置８では、大袋の重量を検査することによって、大袋に所定個数の小袋が過不足なく収納されているか否かを検査する。
【００５３】
前記許容重量範囲は、基準値、上限許容値及び下限許容値に基づいて、（基準値−下限許容値）以上、（基準値＋上限許容値）以下に規定される。
【００５４】
この実施形態では、大袋に包装される小袋の重量のばらつきが大きく、その重量が急に変化するような場合にも、大袋に所定個数の小袋が過不足なく収納されているか否かを正確に検査できるように、次のように構成している。
【００５５】
すなわち、制御装置１０には、上記のように、重量選別機２によって、小袋が計量されて良品と判定される度に、重量選別機制御部２８から良品の小袋の重量値が重量信号として送信され、これによって、制御装置１０は、重量選別機２によって選別された良品の小袋の個数及び各小袋の重量値を取得する。
【００５６】
制御装置１０は、取得した良品の小袋の重量値を、包装機７で大袋に袋詰めされる前記所定個数分積算する。制御装置１０には、重量選別機２で良品として選別された所定個数となる小袋が、包装機７へ供給され、包装機７で所定個数分の小袋が纏められて大袋に包装され、その大袋が、包装品検出器１７によって検出されるまでに、小袋何個分のずれがあるか、すなわち、重量選別機２で良品として選別された所定個数となる小袋が重量選別機２から搬送路切換用振分装置５へ供給される時点で、搬送路切換用振分装置５と包装品検出器１７との間に、何個の小袋が存在するかが、記憶されている。したがって、制御装置１０は、大袋を検出する包装品検出器１７の検出出力に基づいて、小袋の重量値を所定個数分積算した積算重量値と、包装品検出器１７によって検出される大袋とを対応させることができる。
【００５７】
制御装置１０は、良品の小袋の重量値を所定個数分積算した積算重量値を、重量検査装置８へ送り込まれる大袋を検出する包装品検出器１７の検出出力に基づいて、積算重量値に対応する大袋が重量検査装置８へ送り込まれるタイミングで、重量検査装置８の重量検査装置制御部８７へ許容重量範囲を規定するための基準値として送信する。
【００５８】
このため制御装置１０の制御部１４では、所定個数分の積算重量値が算出される度に、各積算重量値をシフトメモリに格納して順次シフトさせる。そして、重量検査装置８へ送り込まれる大袋を検出する包装品検出器１７の検出出力に基づいて、積算重量値に対応する大袋が、重量検査装置８に送込まれるタイミングに合わせて、積算重量値を、許容重量範囲を規定するための基準値として送信する。
【００５９】
このように制御装置１０は、包装機７で大袋として包装する包装単位毎に、良品の小袋の所定個数分の積算重量値を、重量検査装置８へ送り込まれる大袋のタイミングに同期させて、許容重量範囲を規定するための基準値として順次送信する。
【００６０】
重量検査装置８は、順次送信される重量データとしての基準値を受信して取得し、取得した基準値に、一つの大袋を構成する包材の重量（風袋重量）を加算した値を、修正基準値とし、下限許容値及び上限許容値を用いて、大袋の許容重量範囲を、（修正基準値−下限許容値）以上で、（修正基準値＋上限許容値）以下の範囲とする。下限許容値及び上限許容値は、例えば、大袋の正規の重量の１／２としてもよい。
【００６１】
重量検査装置８では、包装機７から順次供給される大袋の重量を計量し、大袋の重量が、制御装置１０から順次送られる前記基準値に基づく前記許容重量範囲内であるか否か、すなわち、所定個数の小袋が収納された良品であるか否かを判定し、良品でないときには、包装品振分装置１５によって排除する。
【００６２】
このように重量検査装置８では、重量選別機２で実際に計量した小袋の重量値の所定個数分の積算重量値（基準値）に基づいて、許容重量範囲を規定し、この許容重量範囲によって積算重量値に対応する大袋の重量が、許容重量範囲内であるか否かを判定して検査するので、小袋の重量がばらついたり、小袋の重量が急に変化しても、それに応じて許容重量範囲が変化するので、小袋の重量のばらつきや急な変化の影響を受けることなく、重量検査装置８では、大袋に所定個数の小袋が過不足なく収納されているか否かを正確に検査することができる。
【００６３】
上記のように、包装機７は、良品の小袋が所定個数投入される度に、それらを大袋に包装するために一定のシール時間が必要である。
【００６４】
したがって、包装機７に供給される小袋の個数が所定個数に達した後、前記シール時間が経過するまでは、次の小袋が包装機７へ供給されないようにする必要がある。
【００６５】
このため、包装機７へ供給する小袋の時間間隔が、前記シール時間に対応する間隔以上となるように、包装機７への供給速度を落とすことが考えられるが、この場合、包装機７に供給される小袋の個数が、前記所定個数に達する前、したがって、包装を行う必要がなく、シール時間の必要がない期間においても、包装機７への小袋の供給の時間間隔がシール時間以上となり、包装機７の本来の包装能力を損なうことになる。
【００６６】
このため、包装機７の前段に、ホッパ等の貯留槽を設け、搬送装置６によって搬送される小袋を一旦貯留槽へ貯留し、所定個数の小袋が貯留される度に、貯留槽の底部のゲートを開閉して、所定個数の小袋を纏めて包装機７に供給することが考えられる。
【００６７】
しかしながら、ホッパ等の貯留槽は、底部のゲートを開閉して小袋を包装機７へ供給するものであるために、ゲートの開閉の際に、小袋を噛み込む場合があり、包装機７へ所定個数の小袋を安定して供給できないという課題がある。
【００６８】
そこで、本実施形態では、包装機７の包装能力を損なうことなく、かつ、包装機７の前段に所定個数の小袋を貯留するための貯留槽を設けることなく、大袋に包装するためのシール時間を確保できるようにするために、次のように構成している。
【００６９】
すなわち、この実施形態では、制御装置１０の操作設定表示部３１を操作して、搬送装置６の第１，第２搬送コンベヤ３，４に供給される小袋の個数値として、包装機７で大袋に包装する小袋の個数である上記所定個数を、設定個数として予め設定する。この設定個数は、包装機７で１回に包装する小袋の個数であり、包装単位となる小袋の個数である。
【００７０】
制御装置１０は、図１に示される搬送路切換用振分装置５を制御することによって、重量選別機２の物品振分装置２３から１個ずつ供給される良品の小袋を、第１，第２搬送コンベヤ３，４の内の一方の搬送コンベヤ３（または４）へ１個ずつ供給し、供給した小袋の個数が、前記設定個数に達すると、搬送路を切換えて他方の搬送コンベヤ４（または３）へ小袋を１個ずつ供給し、供給した小袋の個数が、再び設定個数に達すると、搬送路を切換えて、再び、一方の搬送コンベヤ３（または４）へ小袋を１個ずつ供給する。すなわち、制御装置１０は、搬送路切換用振分装置５を制御して、重量選別機２から供給される良品の小袋を設定個数毎、すなわち、包装単位毎に、第１搬送コンベヤ３または第２搬送コンベヤ４に交互に振分ける。なお、各搬送コンベヤ３，４の一方の搬送コンベヤ３（または４）へ設定個数の小袋の供給を完了した時点で、一方の搬送コンベヤ３（または４）上には、搬送中の設定個数全ての小袋が存在してもよいし、先行する一部の小袋が、既に包装機７に投入され、一部の小袋が存在していなくてもよい。
【００７１】
設定個数をＮ個（Ｎは自然数）とすると、搬送路切換用振分装置５によって包装単位であるＮ個毎に第１，第２搬送コンベヤ３，４に交互に振分けられ、Ｎ個からなる最初の包装単位の小袋群は、第１，第２搬送コンベヤ３，４の一方の搬送コンベヤ３（または４）に振分けられ、Ｎ個からなる次の包装単位の小袋群は、他方の搬送コンベヤ４（または３）に振分けられる。
【００７２】
これによって、各搬送コンベヤ３，４は、設定個数であるＮ個からなる包装単位の小袋群を、交互に包装機７へ供給する。
【００７３】
更に、制御装置１０は、搬送路切換用振分装置５によって第１，第２搬送コンベヤ３，４に供給する小袋の個数に基づいて、第１，第２搬送コンベヤ３，４の搬送速度を、第１搬送速度とこの第１搬送速度よりも高速の第２搬送速度とに切換え制御する。
【００７４】
具体的には、制御装置１０は、一方の搬送コンベヤ３（または４）へ包装単位である設定個数の小袋を供給する場合に、供給する小袋の個数が、前記設定個数に達する前は、一方の搬送コンベヤ３（または４）の搬送速度を第１搬送速度とし、供給する小袋の個数が前記設定個数に達すると、すなわち、設定個数となる最後の小袋が、一方の搬送コンベヤ３（または４）に供給されると、その搬送速度を、第１搬送速度よりも高速の第２搬送速度に切換え、小袋を一気に包装機７へ供給する。制御装置１０は、一定時間に亘る第２搬送速度による小袋の搬送によって、設定個数の小袋の包装機７への供給が完了した後、一方の搬送コンベヤ３（または４）の搬送速度を、再び第１搬送速度に戻す。このとき、制御装置１０は、上記のように包装機７に供給完了信号を送信する。
【００７５】
前記一方の搬送コンベヤ３（または４）へ供給する小袋の個数が、前記設定個数に達すると、上記のように搬送路切換用振分装置５によって小袋を供給する搬送コンベヤが切換えられて、他方の搬送コンベヤ４（または３）への小袋の供給が開始される。このとき、他方の搬送コンベヤ４（または３）の搬送速度は、第１搬送速度となっている。
【００７６】
この他方の搬送コンベヤ４（または３）へ供給する小袋の個数が、前記設定個数に達する前は、その搬送速度は、第１搬送速度のままとし、供給する小袋の個数が前記設定個数に達すると、他方の搬送コンベヤ４（または３）の搬送速度を、第１搬送速度よりも高速の第２搬送速度に切換え、他方の搬送コンベヤ４（または３）上の小袋を、高速で包装機７へ供給した後、再び、第１搬送速度に戻す。
【００７７】
このように各搬送コンベヤ３，４は、各搬送コンベヤ３，４に供給される小袋の個数が設定個数になる前は、その搬送速度を第１搬送速度とし、各搬送コンベヤ３，４に供給される小袋の個数が設定個数に達すると、第１搬送速度よりも高速の第２搬送速度に切換えて一気に設定個数の小袋を包装機７へ供給するので、小袋の搬送間隔を広くすることができる。
【００７８】
上記のように設定個数をＮ個とすると、一方の搬送コンベヤ３（または４）に供給されるＮ個からなる包装単位の第１小袋群の１個目からＮ個目までの小袋の搬送間隔は、第１搬送速度に対応する第１搬送間隔である。一方の搬送コンベヤ３（または４）にＮ個目の小袋が供給されると、その搬送速度が高速の第２搬送速度に切換えられるので、第１小袋群のＮ個目（最後）の小袋と、その次の後続する小袋、すなわち、Ｎ個からなる次の第２小袋群の１個目（最初）の小袋との搬送間隔は、第１搬送間隔よりも広い第２搬送速度に対応した第２搬送間隔となる。
【００７９】
更に、第２小袋群の１個目の小袋は、第２搬送速度よりも低速な第１搬送速度の他方の搬送コンベヤ４（または３）に供給されるので、一方の搬送コンベヤ３（または４）によって高速な第２搬送速度で搬送されて包装機７に供給される第１小袋群のＮ個目（最後）の小袋が供給された時点から、他方の搬送コンベヤ４（または３）によって第１搬送速度で搬送されて包装機７に供給される第２小袋群の１個目（最初）の小袋が供給される時点までの時間間隔は、第１，第２搬送速度の速度差に応じた長い時間間隔となる。
【００８０】
したがって、設定個数からなる包装単位の小袋群毎に、先行する小袋群の最後（Ｎ個目）の小袋と、後続の小袋群の最初（１個目）の小袋との包装機７への供給の時間間隔を長くすることができる。これによって、設定個数の小袋群毎に、すなわち、包装単位毎に包装機７で大袋に袋詰めするために必要なシール時間を十分確保することができる。
【００８１】
しかも、包装機７の前段に、設定個数の小袋を貯留する貯留槽を設ける必要がなく、貯留槽の底部のゲートの開閉によって、小袋をゲートに噛み込むといったことがない。
【００８２】
なお、第１，第２搬送コンベヤ３，４は、コンベヤ上に小袋が存在せず、搬送路切換用振分装置５から小袋が供給されていない期間は、停止させてもよい。
【００８３】
以下、本実施形態の制御装置１０の動作を、図３〜図６のフローチャートに基づいて説明する。
【００８４】
図３は、全体の動作の概要を示すフローチャートである。
【００８５】
先ず、運転スイッチがＯＮされたか否かを判断し（ステップＳ１）、運転スイッチがＯＮされると、初期設定が行われる（ステップＳ２）。具体的には、搬送路切換用振分装置５を第１搬送コンベヤ３側へ傾斜させ、第１搬送コンベヤ３へ小袋を供給中であることを示す供給中フラグをＯＮし、第１，第２搬送コンベヤ３，４の搬送速度を低速の第１搬送速度にする低速運転をセットし、良品の小袋の個数や重量値等の各種データを格納するデータメモリをクリアしてステップＳ３に移る。
【００８６】
ステップＳ３では、第１搬送コンベヤ３に対する制御を行い、ステップＳ４に移り、ステップＳ４では、第２搬送コンベヤ４に対する制御を行い、ステップＳ５に移り、ステップＳ５では、重量検査装置８に対する制御を行いステップＳ６に移る。ステップＳ６では、運転スイッチがＯＦＦされたか否かを判断し、ＯＦＦされていないときには、ステップＳ３に戻り、ＯＦＦされているときには、終了する。
【００８７】
図４は、上記図３のステップＳ３の第１搬送コンベヤ３に対する制御の詳細を示すフローチャートである。
【００８８】
第１搬送コンベヤ３へ小袋を供給中であることを示す供給中フラグがＯＮしているか否かを判断し（ステップＳ３０１）、供給中フラグがＯＮしているときには、重量選別機２から良品の小袋の重量値を示す重量信号の通信があるか否か判断し（ステップＳ３０２）、重量信号の通信があるときには、良品の小袋の重量値を積算し、第１搬送コンベヤ３の積算値として記憶し、ステップＳ３０４に移る（ステップＳ３０３）。ステップＳ３０４では、第１搬送コンベヤ３に供給される良品の小袋の個数を計数する重量信号受信カウンタの計数値に「１」を加算してステップＳ３０５に移る。
【００８９】
ステップＳ３０５では、第１搬送コンベヤ３の重量信号受信カウンタの計数値が、設定個数になったか否かを判断し、設定個数になったときには、第１搬送コンベヤ３への設定個数の良品の小袋の供給が終了したので、搬送路切換用振分装置５を、第２搬送コンベヤ４側へ傾斜させて切換え（ステップＳ３０６）、第２搬送コンベヤ４へ良品の小袋を供給中であることを示す供給中フラグをＯＮしてステップＳ３０８に移る（ステップＳ３０７）。
【００９０】
ステップＳ３０８では、第１搬送コンベヤ３の供給中フラグをＯＦＦし、第１搬送コンベヤ３の搬送速度を高速の第２搬送速度に切換え、第１搬送コンベヤ３が高速運転中であることを示す高速運転中フラグをＯＮし、高速運転の時間を計測する第１搬送コンベヤ３の高速運転タイマーをセットして計測を開始し、ステップＳ３０９に移る。
【００９１】
ステップＳ３０９では、第１搬送コンベヤ３に供給された良品の小袋の設定個数分の重量の積算値を、重量検査装置８への送信用の基準値としてセットし、第１搬送コンベヤ３の重量信号受信カウンタをクリアする共に、第１搬送コンベヤ３の積算値をクリアして終了する（ステップＳ３１０）。
【００９２】
上記ステップＳ３０１において、第１搬送コンベヤ３の供給中フラグがＯＮしていないときには、第１搬送コンベヤ３の搬送速度が第２搬送速度であることを示す高速運転中フラグがＯＮしているか否かを判断し（ステップＳ３１１）、高速運転中フラグがＯＮしているときには、ステップＳ３１２に移り、高速運転中フラグがＯＮしていないときには、終了する。ステップＳ３１２では、第１搬送コンベヤ３の高速運転タイマーの計数値を減じ、第１搬送コンベヤ３の高速運転タイマーはタイムアップしたか否かを判断し（ステップＳ３１３）、タイムアップしたときには、第１搬送コンベヤ３によって設定個数分の良品の小袋の包装機７への供給が完了したとしてステップＳ３１４に移り、タイムアップしていないときには終了する。
【００９３】
ステップＳ３１４では、第１搬送コンベヤ３の搬送速度を低速の第１搬送速度に戻し、包装機７へ設定個数の小袋の供給が完了したことを示す供給完了信号を送信し（ステップＳ３１５）、第１搬送コンベヤ３の高速運転中フラグをＯＦＦして終了する（ステップＳ３１６）。
【００９４】
図５は、上記図３のステップＳ４の第２搬送コンベヤ４に対する制御の詳細を示すフローチャートである。
【００９５】
第２搬送コンベヤ４へ良品の小袋を供給中であることを示す供給中フラグがＯＮしているか否かを判断し（ステップＳ４０１）、供給中フラグがＯＮしているときには、重量選別機２から良品の小袋の重量値を示す重量信号の通信があるか否かを判断し（ステップＳ４０２）、重量信号の通信があるときには、良品の小袋の重量値を積算し、第２搬送コンベヤ４の積算値として記憶し、ステップＳ４０４に移る（ステップＳ４０３）。ステップＳ４０４では、第２搬送コンベヤ４に供給される良品の小袋の個数を計数する重量信号受信カウンタの計数値に「１」を加算してステップＳ４０５に移る。
【００９６】
ステップＳ４０５では、第２搬送コンベヤ４の重量信号受信カウンタの計数値が、設定個数になったか否かを判断し、設定個数になったときには、第２搬送コンベヤ４への設定個数の良品の小袋の供給が終了したので、搬送路切換用振分装置５を、第１搬送コンベヤ３側へ傾斜させて切換え（ステップＳ４０６）、第１搬送コンベヤ３へ良品の小袋を供給中であることを示す供給中フラグをＯＮしてステップＳ４０８に移る（ステップＳ４０７）。
【００９７】
ステップＳ４０８では、第２搬送コンベヤ４の供給中フラグをＯＦＦし、第２搬送コンベヤ４の搬送速度を高速の第２搬送速度に切換え、第２搬送コンベヤ４が高速運転中であることを示す高速運転中フラグをＯＮし、高速運転の時間を計測する第２搬送コンベヤ４の高速運転タイマーをセットして計測を開始し、ステップＳ４０９に移る。
【００９８】
ステップＳ４０９では、第２搬送コンベヤ４に供給された良品の小袋の設定個数分の重量の積算値を、重量検査装置８への送信用の基準値としてセットし、第２搬送コンベヤ４の重量信号受信カウンタをクリアする共に、第２搬送コンベヤ４の積算値をクリアして終了する（ステップＳ４１０）。
【００９９】
上記ステップＳ４０１において、第２搬送コンベヤ４の供給中フラグがＯＮしていないときには、第２搬送コンベヤ４の搬送速度が第２搬送速度であることを示す高速運転中フラグがＯＮしているか否かを判断し（ステップＳ４１１）、高速運転中フラグがＯＮしているときには、ステップＳ４１２に移り、高速運転中フラグがＯＮしていないときには、終了する。ステップＳ４１２では、第２搬送コンベヤ４の高速運転タイマーの計数値を減じ、第２搬送コンベヤ４の高速運転タイマーはタイムアップしたか否かを判断し（ステップＳ４１３）、タイムアップしたときには、第２搬送コンベヤ４によって設定個数分の良品の小袋の包装機７への供給が完了したとしてステップＳ４１４に移り、タイムアップしていないときには終了する。
【０１００】
ステップＳ４１４では、第２搬送コンベヤ４の搬送速度を低速の第１搬送速度に戻し、包装機７へ設定個数の小袋の供給が完了したことを示す供給完了信号を送信し（ステップＳ４１５）、第２搬送コンベヤ４の高速運転中フラグをＯＦＦして終了する（ステップＳ４１６）。
【０１０１】
図６は、上記図３のステップＳ５の重量検査装置８に対する制御の詳細を示すフローチャートである。
【０１０２】
包装品検出センサ１７によって、包装品である大袋を検出したか否かを判断し（ステップＳ５０１）、検出していないときには、終了し、検出したときには、ステップＳ５０２に移る。ステップＳ５０２では、検出した大袋に対応する良品の小袋の重量値の設定個数分の積算値である基準値を重量検査装置８に送信し、基準値のメモリをクリアして終了する（ステップＳ５０３）。
【０１０３】
なお、重量検査装置８では、上記のように基準値を受信して許容重量範囲を決定し、包装機７から供給される大袋の重量を計量し、計量した重量が、決定した許容重量範囲内の良品であるか否か、すなわち、設定個数の小袋が大袋に収納されているか否かを検査する。
【０１０４】
上記実施形態では、搬送装置６は、２台の搬送コンベヤ３，４を備えていたが、２台に限らず、１台の搬送コンベヤによって、搬送速度を切換えるようにしてもよく、また、３台以上の搬送コンベヤを備える構成としてもよい。
【０１０５】
上記実施形態では、各搬送コンベヤ３，４の搬送速度を、第１，第２搬送速度の２段階で切換えたけれども、３段階以上で切換えるようにしてもよい。
【０１０６】
上記制御装置１０は、重量選別機２の重量選別機制御部２８、あるいは、重量検査装置８の重量検査装置制御部８７に組み込んでもよい。
【０１０７】
上記実施形態では、重量選別機２では、小袋の重量選別を行ったが、小袋に限らず、小箱や包装されていない物品であってもよい。また、包装機７では、袋詰め包装を行ったが、箱詰め包装等を行うものであってもよい。
【符号の説明】
【０１０８】
１                    計量包装検査システム
２                    重量選別機
３，４                第１，第２搬送コンベヤ
５                    搬送路切換用振分装置
６                    搬送装置
７                    包装機
８                    重量検査装置
１０                  制御装置
１４                  制御部
１５                  包装品振分装置
１６，２２            計量コンベヤ
２３                  物品振分装置
【図１】
2017132514.tif 000003
【図２】
2017132514.tif 000004
【図３】
2017132514.tif 000005
【図４】
2017132514.tif 000006
【図５】
2017132514.tif 000007
【図６】
2017132514.tif 000008